(57)【要約】【課題】入賞装置に対して複数の検出手段を効率良く着脱できる遊技機を提供すること。【解決手段】入賞装置３１は、装置本体５１、入賞口５６〜５９、検出手段保持部８１及び前側カバー部材１０１を備える。入賞口５６〜５９には、装置本体５１内の入賞空間に流入した遊技球が入賞可能である。検出手段保持部８１は、入賞口５６〜５９に入賞した遊技球を検出する検出手段９１を保持する。検出手段保持部８１は、装置本体５１の前面側から検出手段９１が装着可能な前側開口部８２と、装置本体５１の裏面側から検出手段９１が装着可能な裏側開口部とを有する。前側カバー部材１０１は、複数の検出手段保持部８１の前側開口部８２を覆うように装置本体５１の前面側に着脱自在に取り付けられる。【選択図】図１２
2007260134.tif 000002
【特許請求の範囲】
【請求項１】
遊技盤前面の遊技領域に入賞装置を備えた遊技機であって、
前記入賞装置は、
前記遊技領域に取り付けられた装置本体と、
前記装置本体内に形成され、遊技球が流入しうる入賞空間と、
前記入賞空間の下方に位置し、前記入賞空間に流入した遊技球が入賞可能な複数の入賞口と、
前記入賞空間内に設けられ、前記入賞空間に流入した遊技球を前記複数の入賞口のいずれかに振り分ける振分手段と、
前記複数の入賞口内にそれぞれ設けられ、前記入賞口に入賞した遊技球を検出する検出手段を保持可能な複数の検出手段保持部と、
前記装置本体の前面側に取り付けられる前側カバー部材と
を備え、
前記複数の検出手段保持部は、前記装置本体の前面側から前記検出手段が装着可能な前側開口部と、前記装置本体の裏面側から前記検出手段が装着可能な裏側開口部とを有しており、
前記前側カバー部材は、前記複数の検出手段保持部の前記前側開口部を覆うように前記装置本体に着脱自在に取り付けられる
ことを特徴とする遊技機。
【請求項２】
前記検出手段は、略矩形平板状をなすとともに、前記検出手段の前端部の片側の角部に、前記検出手段の前端面に対して傾斜するテーパ面が設けられ、
前記前側カバー部材の裏面に、前記前側カバー部材が前記装置本体に取り付けられた際に前記テーパ面に当接する誤組付防止用突部を設けたことを特徴とする請求項１に記載の遊技機。
【請求項３】
前記前側カバー部材の裏面に、前記前側カバー部材が前記装置本体に取り付けられた際に前記検出手段の前端部の上面に係止し、遊技球を前記検出手段の後端側に誘導する遊技球誘導片を突設したことを特徴とする請求項１または２に記載の遊技機。
【発明の詳細な説明】
【技術分野】
【０００１】
本発明は、遊技機の型式試験を行う際に、遊技盤前面の遊技領域にある入賞装置に対して、遊技球を検出するための検出手段を着脱できる遊技機に関するものである。
【背景技術】
【０００２】
通常、新型の遊技機が開発されると、この遊技機が所定の運用基準を満たしているか否かの検査（型式試験）が保通協（財団法人  保安電子通信技術協会）にて行われ、これに合格すれば遊技店への販売が可能となる。なお、上記型式試験としては、遊技領域に発射された遊技球の入賞装置（例えば始動入賞装置など）への入賞確率を測定する実射試験がある。この実射試験は、具体的には以下のようにして行われる。例えば、入賞した遊技球を検出する遊技球検出センサが入賞装置に設けられている場合、遊技球検出センサからの電気信号の出力回数に基づいて入賞装置への遊技球の入賞確率を測定する。このようにすれば、測定した入賞確率に基づいて遊技機が運用基準を満たしているか否かを判断することができる。ところが、入賞装置には、遊技球検出センサが設けられていないものもある。この場合、入賞装置に試験用の遊技球検出センサを取り付けておき、この状態で入賞装置への遊技球の入賞確率を測定する。
【０００３】
ところで、遊技機が、入賞装置への遊技球の入賞に基づいて複数の普通入賞装置の開閉部材を機械的に開閉させるタイプの遊技機（いわゆる普通機）である場合、入賞装置内の上部にある上入賞口のみに賞球払出用の遊技球検出センサが設けられている。一方、入賞装置内の下部にある入賞口、即ち、普通入賞装置を開閉させる契機となる入賞口や、普通入賞装置を開閉させる契機とはならないハズレ入賞口には、上記の遊技球検出センサが設けられていない。従って、遊技機が普通機である場合は、実射試験を行う際に遊技盤の裏面側から入賞装置の下部にある入賞口に遊技球検出センサを取り付けて、それぞれの入賞口への遊技球Ａ１の入賞率を検査する必要がある。しかしながら、普通機においては、開閉部材を連動させる連動機構が入賞装置を囲むように設けられているために、遊技盤裏面側における部品配置密度が非常に高く、試験用の遊技球検出センサを取り付ける箇所は狭所となる。ゆえに、上記のように遊技球検出センサを遊技盤の裏面側から取り付けようとしても、作業性が非常に悪いという問題がある。しかも、実射試験の終了後には遊技球検出センサを取り外す必要があるため、作業性が悪いだけでなく、遊技球検出センサを保持しているホルダを破損する可能性もある。
【０００４】
そこで、入賞装置を、遊技盤に固定されるベース板と、遊技球検出センサを保持可能な保持手段とによって構成し、遊技球検出センサを保持した保持手段を遊技盤の前面側からベース板に対して着脱することにより、遊技球検出センサの着脱を容易にする技術が提案されている（例えば、特許文献１参照）。
【特許文献１】特開平１１−１９２８０号公報（請求項１，［００３７］〜［００４３］，図１１〜図１３など）
【発明の開示】
【発明が解決しようとする課題】
【０００５】
ところが、普通機が備えた入賞装置は複数の入賞口を備えるため、実射試験を行う際には、遊技球検出センサを入賞口ごとに着脱する必要がある。よって、特許文献１に記載の従来技術のように遊技球検出センサを遊技盤の前面側から着脱したとしても、遊技球検出センサをいちいち１個ずつ着脱しなければならないため、作業性を向上させることができない。ゆえに、上記の課題を根本的に解決する技術が要求されている。
【０００６】
本発明は上記の課題に鑑みてなされたものであり、その目的は、入賞装置に対して複数の検出手段を効率良く着脱できる遊技機を提供することにある。
【課題を解決するための手段】
【０００７】
上記の課題を解決するために、請求項１に記載の発明は、遊技盤前面の遊技領域に入賞装置を備えた遊技機であって、前記入賞装置は、前記遊技領域に取り付けられた装置本体と、前記装置本体内に形成され、遊技球が流入しうる入賞空間と、前記入賞空間の下方に位置し、前記入賞空間に流入した遊技球が入賞可能な複数の入賞口と、前記入賞空間内に設けられ、前記入賞空間に流入した遊技球を前記複数の入賞口のいずれかに振り分ける振分手段と、前記複数の入賞口内にそれぞれ設けられ、前記入賞口に入賞した遊技球を検出する検出手段を保持可能な複数の検出手段保持部と、前記装置本体の前面側に取り付けられる前側カバー部材とを備え、前記複数の検出手段保持部は、前記装置本体の前面側から前記検出手段が装着可能な前側開口部と、前記装置本体の裏面側から前記検出手段が装着可能な裏側開口部とを有しており、前記前側カバー部材は、前記複数の検出手段保持部の前記前側開口部を覆うように前記装置本体に着脱自在に取り付けられることを特徴とする遊技機をその要旨とする。
【０００８】
従って、請求項１に記載の発明によると、狭所となる装置本体の裏面側だけでなく、狭所とならない装置本体の前面側からも検出手段を検出手段保持部に着脱できるため、検出手段を着脱する際の作業性が向上する。しかも、複数の検出手段保持部にそれぞれ検出手段を装着してから前側カバー部材を取り付けることにより、各検出手段が同時に固定されるため、入賞装置に対して複数の検出手段を効率良く着脱することができる。
【０００９】
なお、前側カバー部材を形成する材料は特に限定されず、合成樹脂や金属などを用いることができる。また、前側カバー部材を前記装置本体に着脱自在に取り付ける方法としては、前側カバー部材及び装置本体の一方に設けた係止爪を、前側カバー部材及び装置本体の他方に設けた係止孔に係止させることや、前側カバー部材を装置本体にネジ止めすることなどが挙げられる。しかし、取り付けが容易になるだけでなく、取り外しも容易になるという観点からいえば、前側カバー部材を装置本体にネジ止めすることが好ましい。
【００１０】
請求項２に記載の発明は、請求項１において、前記検出手段は、略矩形平板状をなすとともに、前記検出手段の前端部の片側の角部に、前記検出手段の前端面に対して傾斜するテーパ面が設けられ、前記前側カバー部材の裏面に、前記前側カバー部材が前記装置本体に取り付けられた際に前記テーパ面に当接する誤組付防止用突部を設けたことをその要旨とする。
【００１１】
ところで、正規品とは形状が異なる検出手段を検出手段保持部に装着したとしても、作業者は検出手段の誤組付に気付かない可能性がある。また、検出手段が正規品である場合に検出手段を表裏逆に装着したとしても、作業者は誤組付に気付かない可能性がある。しかも、本発明の入賞装置には検出手段保持部が複数あるため、誤組付のリスクは高くなっている。
【００１２】
そこで、請求項２に記載の発明では、前側カバー部材の裏面に誤組付防止用突部を設けている。これにより、正規品とは形状が異なる検出手段を装着した場合や、正規の検出手段を表裏逆に装着した場合には、誤組付防止用突部と検出手段とが干渉するために前側カバー部材を装置本体に取り付けることができない。よって、作業者は、検出手段の誤組付に気付きやすくなる。
【００１３】
さらに、前側カバー部材を装置本体に取り付けた際に誤組付防止用突部が検出手段のテーパ面に当接するため、検出手段が検出手段保持部だけでなく誤組付防止用突部によっても保持される。これにより、検出手段の固定強度が向上するとともに、検出手段のガタツキが抑えられる。また、誤組付防止用突部を設けたことで前側カバー部材の強度が向上しうる。
【００１４】
ここで、誤組付防止用突部をテーパ面に当接させる方法としては、誤組付防止用突部をテーパ面に点接触させることや、面接触させることが挙げられるが、面接触させることが好ましい。このようにすれば、誤組付防止用突部と検出手段との接触面積が大きくなるため、検出手段の固定強度がより高くなるとともに、検出手段のガタツキをより確実に抑えることができる。
【００１５】
なお、誤組付防止用突部の突出量は、前側カバー部材を装置本体に取り付ける際に検出手段と干渉しない程度であれば、できるだけ大きいことが好ましい。仮に、誤組付防止用突部の突出量が小さすぎると、誤組付防止用突部と検出手段とが干渉したとしても、前側カバー部材の装置本体への取り付けが可能になるため、検出手段の誤組付に気付きにくくなる。しかも、誤組付防止用突部によって検出手段を確実に保持できなくなるため、検出手段にガタツキが生じやすくなる。一方、誤組付防止用突部の突出量が大きすぎると、検出手段が正しく装着されているにもかかわらず誤組付防止用突部と検出手段とが干渉するため、前側カバー部材を装置本体に取り付けることができなくなる。
【００１６】
なお、誤組付防止用突部は、従来公知の様々な構造を適用することが可能である。誤組付防止用突部としては、例えば柱状部材や、前記前側カバー部材の上下方向に沿って延びるリブなどが挙げられるが、リブであることが好ましい。このようにすれば、誤組付防止用突部と検出手段との接触面積が大きくなるため、検出手段の固定強度がより高くなるとともに、検出手段のガタツキをより確実に抑えることができる。また、誤組付防止用突部は、１つの検出手段ごとに１個のみ設けられてもよいし、複数個設けられてもよいが、誤組付防止用突部が例えば柱状部材であれば、複数個設けられることが好ましい。このようにしても、多数の柱状部材で検出手段を支持できることから誤組付防止用突部と検出手段との接触面積が大きくなるため、検出手段の固定強度がより高くなるとともに、検出手段のガタツキをより確実に抑えることができる。
【００１７】
請求項３に記載の発明は、請求項１または２において、前記前側カバー部材の裏面に、前記前側カバー部材が前記装置本体に取り付けられた際に前記検出手段の前端部の上面に係止し、遊技球を前記検出手段の後端側に誘導する遊技球誘導片を突設したことをその要旨とする。
【００１８】
従って、請求項３に記載の発明によると、入賞口に入賞した遊技球を、遊技球誘導片によって検出手段の後端側にスムーズに誘導できる。即ち、遊技球が跳ねることで検出手段が遊技球を複数回検出してしまう等の問題を解消できる。また、前側カバー部材を装置本体に取り付けた際に遊技球誘導片が検出手段の前端部の上面に係止するため、検出手段が検出手段保持部だけでなく遊技球誘導片によっても保持される。これにより、検出手段の固定強度が向上するとともに、検出手段のガタツキが抑えられる。さらに、前側カバー部材を装置本体に取り付ける際に、遊技球誘導片が検出手段に係止することで前側カバー部材をあらかじめ位置決めできるため、前側カバー部材の取り付けが容易になる。
【００１９】
なお、検出手段の後端側には、遊技球の通過部分が形成されていることが好ましい。このようにすれば、遊技球誘導片によって遊技球を誘導することの意義が大きくなる。ここで、遊技球の通過部分としては、検出手段の表裏面を貫通する貫通孔などが挙げられる。
【００２０】
また、遊技球誘導片の突出量は、検出手段の遊技球の通過部分を塞がない程度であれば、できるだけ大きいことが好ましい。仮に、遊技球誘導片の突出量が小さすぎると、遊技球を検出手段の後端側へスムーズに誘導できなくなる。しかも、遊技球誘導片によって検出手段を確実に保持できなくなるため、検出手段にガタツキが生じやすくなる。一方、遊技球誘導片の突出量が大きすぎると、検出手段の遊技球の通過部分が塞がれてしまうため、検出手段によって遊技球を検出できなくなる。
【００２１】
なお、遊技球誘導片は、従来公知の様々な構造を適用することが可能である。遊技球誘導片としては、例えば舌片状の板状部材や、前記前側カバー部材の左右方向に沿って延びるリブなどが挙げられるが、リブであることが好ましい。このようにすれば、遊技球誘導片が検出手段の前端部の上面に係止しやすくなるため、検出手段の固定強度がより高くなるとともに、検出手段のガタツキをより確実に抑えることができる。また、遊技球誘導片は、１つの検出手段ごとに１個のみ設けられてもよいし、複数個設けられてもよいが、遊技球誘導片が例えば板状部材であれば、複数個設けられることが好ましい。このようにしても、遊技球誘導片が検出手段の前端部の上面に係止しやすくなるため、検出手段の固定強度がより高くなるとともに、検出手段のガタツキをより確実に抑えることができる。
【発明の効果】
【００２２】
以上詳述したように、請求項１〜３に記載の発明によれば、入賞装置に対して複数の検出手段を効率良く着脱できる遊技機を提供することができる。特に、請求項２によれば、検出手段の誤組付に気付きやすくなる。
【発明を実施するための最良の形態】
【００２３】
以下、本発明を遊技機（パチンコ機）の遊技盤１１に具体化した一実施形態を図１〜図１４に基づき説明する。
（１）遊技盤１１の構成
【００２４】
図１に示されるように、遊技盤１１は、略正方形状の外形を有しており、遊技盤前面側にガイドレール１３が複数のレールピン１４を介して取り付けられている。ガイドレール１３は、金属板を曲げることで円弧状に湾曲形成されており、内レール１３ａ及び外レール１３ｂから構成されている。これら内レール１３ａ及び外レール１３ｂにより、略円形状の遊技領域１２が区画される。なお、各レールピン１４の一部は、内レール１３ａの側面や外レール１３ｂの側面に露出している。また、遊技領域１２内には、風車とも称される案内車１６や、遊技領域１２のほぼ全域に突設される複数の遊技釘２１などが配設されている。案内車１６及び遊技釘２１は、遊技領域１２内を流下する遊技球Ａ１（図３等参照）の方向を変更することにより、遊技球Ａ１を後記する入賞装置３０〜３６，４１〜４３に入賞させうるようになっている。即ち、案内車１６及び遊技釘２１は、遊技結果に影響を与える役割を果たしている。
【００２５】
図１に示されるように、遊技領域１２内の最下部には、遊技領域１２内を流下した遊技球Ａ１を回収するアウト口部材２０が配置されている。アウト口部材２０は遊技盤１１と内レール１３ａとによって挟持されている。アウト口部材２０は、複数のレールピン１４のうち２本のレールピン１４によって遊技盤１１に固定されている。即ち、両レールピン１４は、アウト口部材２０における開口部２０ａの左方及び右方をそれぞれ貫通して遊技盤１１に打ち込まれる。
【００２６】
また、遊技領域１２の略中央部には入賞装置３１が配設されている。入賞装置３１の上方には上入賞装置３０が配設されている。また、入賞装置３１の左方には左中上入賞装置３２が配設され、左中上入賞装置３２の直下には左中下入賞装置３４が配設されている。一方、入賞装置３１の右方には右中上入賞装置３３が配設され、右中上入賞装置３３の直下には右中下入賞装置３５が配設されている。また、遊技領域１２における入賞装置３１の直下には、中央下入賞装置３６が配設されている。中央下入賞装置３６の左方には左下入賞装置３７が配設され、中央下入賞装置３６の右方には右下入賞装置３８が配設されている。さらに、中央下入賞装置３６の直下であってアウト口部材２０の直上となる位置には、下部入賞装置４１が配設されている。下部入賞装置４１の左方には左側部入賞装置４２が配設され、下部入賞装置４１の右方には右側部入賞装置４３が配設されている。なお、各入賞装置３０，３２〜３８，４１〜４３の奥方には、遊技球Ａ１の通過を検出する検出スイッチ（図示略）が配設されている。これら検出スイッチにより遊技球Ａ１の通過が検出されると、所定数（例えば８個）の賞球が払い出されるようになっている。
【００２７】
図１等に示されるように、各入賞装置３２〜３６，４１〜４３には、入賞装置３１〜３６，４１〜４３への遊技球Ａ１の入賞を契機として、遊技球Ａ１の入賞が容易な開状態、または、遊技球Ａ１の入賞が困難な閉状態に変位可能な一対の羽根部材４４（開閉部材）が設けられている。なお、両羽根部材４４は、上端が外向きに傾斜した状態（図１の実線部分参照）が開状態となり、上端が起立した状態（図１の破線部分参照）が閉状態となる。例えば、各入賞装置３２〜３６，４１に遊技球Ａ１が入賞した場合、遊技球Ａ１が入賞した入賞装置の羽根部材４４が開状態にあれば閉状態に変位するようになっている。特に、入賞装置４２，４３に遊技球Ａ１が入賞した場合、遊技球Ａ１が入賞した入賞装置の羽根部材４４が開状態にあれば閉状態に変位し、閉状態にあれば開状態に変位するようになっている。また、中央下入賞装置３６に遊技球Ａ１が入賞すると、下部入賞装置４１の羽根部材４４が閉状態にあれば開状態に変位するようになっている。同様に、左中上入賞装置３２に遊技球Ａ１が入賞すると、左中下入賞装置３４の羽根部材４４が閉状態にあれば開状態に変位し、右中上入賞装置３３に遊技球Ａ１が入賞すると、右中下入賞装置３５の羽根部材４４が閉状態にあれば開状態に変位するようになっている。即ち、本実施形態のパチンコ機は、リンク機構（図２に示す連動機構６１）を備えたものであり、ソレノイドを用いた電動役物を備えていないいわゆる普通機である。
（２）入賞装置３１の構成
【００２８】
図１，図２，図４〜図１１に示されるように、入賞装置３１は、装置本体５１の外周側に位置するフランジ状の枠板５２を介して、前記遊技盤１１に取り付けられるようになっている。装置本体５１は、略箱状に形成されるとともに、前端部の外周部分に飾り部材５１ａを有している。この飾り部材５１ａは、図示しない発光体（発光ダイオードなど）を複数備え、これら発光体にレンズ部材を覆い被せて構成されている。飾り部材５１ａの上部中央位置には、中央上入賞口５３が形成されている。なお、中央上入賞口５３には、遊技球Ａ１の通過を検出する中央上入賞口スイッチ５３ａ（図５等参照）が配設されている。この中央上入賞口スイッチ５３ａにより装置本体５１内への遊技球Ａ１の流入が検出されると、所定数（例えば８個）の賞球が払い出されるようになっている。
【００２９】
図１，図５，図７，図８，図１１に示されるように、装置本体５１内には、第１入賞空間５４と第２入賞空間５５とが区画形成されている。第１入賞空間５４には、中央上入賞口５３を通過した遊技球Ａ１が流入しうるようになっている。第２入賞空間５５は、第１入賞空間５４の下側に配置されており、第１入賞空間５４に流入した遊技球Ａ１が流入しうるようになっている。
（２−１）第１入賞空間５４の構成
【００３０】
図５，図７，図８等に示されるように、第１入賞空間５４の底部は、略中央に凸部１１１ａを有する誘導スロープ１１１によって構成されている。誘導スロープ１１１における凸部１１１ａの左右両側には、第２入賞空間５５に連通する連通孔１１２が設けられている。よって、第１入賞空間５４に流入した遊技球Ａ１は、誘導スロープ１１１上を転動する（図７参照）などした後に、一方の連通孔１１２を介して第２入賞空間５５に流入する（図８参照）。
（２−２）第２入賞空間５５の構成
【００３１】
図１，図５〜図９，図１１，図１２に示されるように、第２入賞空間５５は、前面にて開口する略矩形箱状をなしている。第２入賞空間５５の底面をなす傾斜面１１３は、前方へ向けて下方に傾斜している。第２入賞空間５５内に流入した遊技球Ａ１は、傾斜面１１３上を前端側に向かって転動するようになっている。そして、傾斜面１１３の前側であって第２入賞空間５５の下方となる箇所には、第２入賞空間５５に流入した遊技球Ａ１が入賞可能な複数の入賞口（中入賞口５６、左入賞口５７、右入賞口５８及びハズレ入賞口５９）が上方にて開口するように形成されている。中入賞口５６に遊技球Ａ１が入賞した場合、前記中央下入賞装置３６、前記左中上入賞装置３２及び前記右中上入賞装置３３の羽根部材４４が閉状態にあれば開状態に変位するようになっている。左入賞口５７に遊技球Ａ１が入賞した場合、左中上入賞装置３２の羽根部材４４が閉状態にあれば開状態に変位するようになっている。一方、右入賞口５８に遊技球Ａ１が入賞した場合、右中上入賞装置３３の羽根部材４４が閉状態にあれば開状態に変位するようになっている。また、ハズレ入賞口５９は、中入賞口５６と左入賞口５７との間、及び、中入賞口５６と右入賞口５８との間にそれぞれ設けられている。なお、ハズレ入賞口５９に遊技球Ａ１が入賞したとしても、各入賞装置３２〜３６，４１〜４３の羽根部材４４は何ら変化しないようになっている。また、賞球の払い出しのための遊技球Ａ１の検出は前記中央上入賞口５３の前記中央上入賞口スイッチ５３ａにて行っているため、各入賞口５６〜５９に遊技球Ａ１を検出する検出スイッチは設けられていない。ゆえに、各入賞口５６〜５９に遊技球Ａ１が入賞したとしても、賞球の払い出しは行われない。
【００３２】
図１，図５，図７，図８，図１１等に示されるように、第２入賞空間５５内には、回転スロープ６０（振分手段）が回転軸６０ｂ（図５（ｂ）参照）を中心として回転可能に設けられている。回転スロープ６０は、略円板状をなし、第２入賞空間５５内の傾斜面１１３と平行に配置されている。回転スロープ６０の上面には、複数の誘導ピン６０ａが突設されている。そして、第２入賞空間５５に流入して回転スロープ６０上に到達した遊技球Ａ１は、誘導ピン６０ａに接触して回転スロープ６０を回転させながら流下する（図８参照）。これにより、第２入賞空間５５に流入した遊技球Ａ１は、中入賞口５６側、左入賞口５７側、右入賞口５８側及びハズレ入賞口５９側のいずれかに振り分けられる。
（２−３）検出センサ保持部８１等の構成
【００３３】
図４〜図１２に示されるように、中入賞口５６内、左入賞口５７内、右入賞口５８内及びハズレ入賞口５９内のそれぞれには、遊技球排出経路８０と、検出センサ保持部８１（検出手段保持部）とが形成されている。各遊技球排出経路８０は、入賞口５６〜５９に入賞した遊技球Ａ１を、前記入賞装置３１の裏面側に排出させるための経路である（図５（ｂ）及び図６（ｂ），（ｃ）等参照）。遊技球排出経路８０の底面の前端部分には、略三角形板状をなす遊技球誘導リブ８０ａが突設されている。遊技球誘導リブ８０ａは、入賞口５６〜５９に入賞して落下してくる遊技球Ａ１の方向を変更して、入賞装置３１の裏面側に導く機能を有している。
【００３４】
また、図２，図９〜図１２に示されるように、各検出センサ保持部８１は、遊技球排出経路８０の始端部（上部）に配置され、『検出手段』である試験用の遊技球検出センサ９１を保持可能になっている。また、各検出センサ保持部８１は、前端部に前側開口部８２を有するとともに、後端部に裏側開口部８３を有している。前側開口部８２及び裏側開口部８３の高さは、遊技球検出センサ９１の厚さよりもやや大きくなっており、前側開口部８２及び裏側開口部８３の幅は、遊技球検出センサ９１の幅よりもやや大きくなっている。各前側開口部８２には、前記装置本体５１の前面側から遊技球検出センサ９１が装着可能となっている。各前側開口部８２の上端部には、それぞれ移動防止爪８５が形成されている。移動防止爪８５は、検出センサ保持部８１の長手方向に沿って延びており、検出センサ保持部８１に保持された遊技球検出センサ９１の上面９１ｂの側端部に当接することにより、遊技球検出センサ９１の上方への移動を防止するようになっている。一方、図１０に示されるように、各裏側開口部８３には、装置本体５１の裏面側から遊技球検出センサ９１が装着可能となっている。また、各裏側開口部８３には、同裏側開口部８３の上端縁または側端縁から後方に突出する保持片８４が設けられている。各保持片８４は、検出センサ保持部８１に保持された遊技球検出センサ９１の後端面９１ｃに係止することにより、遊技球検出センサ９１の後方への移動を防止するようになっている。
（２−４）遊技球検出センサ９１の構成
【００３５】
遊技球検出センサ９１は、中入賞口５６、左入賞口５７、右入賞口５８及びハズレ入賞口５９に入賞した遊技球Ａ１を検出するようになっている。各遊技球検出センサ９１は、パチンコ機が所定の運用基準を満たしているか否かを検査する型式試験（具体的には実射試験）を行う際に、検出センサ保持部８１に取り付けられる。図１３等に示されるように、遊技球検出センサ９１は、略矩形平板状をなすとともに、前端部の片側の角部に、前端面９１ａに対して傾斜するテーパ面９３が設けられている。遊技球検出センサ９１の後端面９１ｃには、図示しないコネクタ装着部が設けられている。また、遊技球検出センサ９１の前端側には、同遊技球検出センサ９１の表裏面を貫通する貫通孔９２が配置されている。貫通孔９２には、入賞口５６〜５９に入賞した遊技球Ａ１が通過可能となっている。
（２−５）前側カバー部材１０１の構成
【００３６】
図１，図５〜図９，図１１〜図１４に示されるように、前記装置本体５１の前面側には、合成樹脂製の前側カバー部材１０１が着脱可能に取り付けられている。前側カバー部材１０１は、板状をなし、前記各検出センサ保持部８１の前記前側開口部８２の全てを覆うように取り付けられる。この際、前側カバー部材１０１の裏面１０１ａは、前記検出センサ保持部８１の前端縁及び前記遊技球誘導リブ８０ａの前端縁に当接するようになっている（図５（ｂ）、図６（ｂ）,（ｃ）及び図９（ｂ）〜（ｄ）参照）。なお、前側カバー部材１０１は、同前側カバー部材１０１に設けられた一対のネジ孔１０３にそれぞれネジ１０４を挿入し、装置本体５１に螺着させることにより固定される（図１１等参照）。また、前側カバー部材１０１は、ネジ１０４を取り外すことにより装置本体５１から取り外される。
【００３７】
図９（ｂ）〜（ｃ），図１４に示されるように、前側カバー部材１０１の裏面１０１ａには、５個の係合突部１０６が突設されている。即ち、係合突部１０６は、前記入賞口５６〜５９と同数だけ設けられている。各係合突部１０６は、断面矩形状をなし、前側カバー部材１０１の上下方向に沿って延びている。係合突部１０６は、前側カバー部材１０１が装置本体５１に取り付けられた際に、前記遊技球検出センサ９１の下面と遊技球誘導リブ８０ａの上端との間に挿入されうるようになっている（図９（ｂ）〜（ｃ）参照）。これにより、係合突部１０６は、遊技球検出センサ９１の下方へのガタツキを防止するようになっている。
【００３８】
図９（ｂ）〜（ｃ），図１２〜図１４等に示されるように、前側カバー部材１０１の裏面１０１ａには、５個の遊技球誘導片１０２が突設されている。即ち、遊技球誘導片１０２は、入賞口５６〜５９と同数だけ設けられている。各遊技球誘導片１０２は、断面三角形状をなし、前側カバー部材１０１の上端（係合突部１０６の上方）において左右方向に沿って延びるリブである。遊技球誘導片１０２は、前側カバー部材１０１が装置本体５１に取り付けられた際に、遊技球検出センサ９１の前端部の上面９１ｂに係止するようになっている（図９（ｂ）〜（ｃ）参照）。また、遊技球誘導片１０２の突出量は、遊技球検出センサ９１の前記貫通孔９２を塞がない程度に設定されている。遊技球誘導片１０２は、前記第２入賞空間５５から落下してくる遊技球Ａ１を遊技球検出センサ９１の後端側に誘導し、貫通孔９２内に導くようになっている。また、遊技球誘導片１０２は、前側カバー部材１０１を装置本体５１に取り付けた際に、前記移動防止爪８５と直交した状態に配置されるようになっている。このとき、遊技球誘導片１０２の下端面は、移動防止爪８５の下端面よりも上方に位置するようになる。
【００３９】
図１３，図１４に示されるように、前側カバー部材１０１の裏面１０１ａには、『誤組付防止用突部』としてのリブ１０５が５箇所に突設されている。即ち、リブ１０５は、入賞口５６〜５９と同数だけ設けられている。リブ１０５は、断面三角形状をなし、遊技球誘導片１０２の側方（図１４では右方）において前側カバー部材１０１の上下方向に沿って延びている。リブ１０５の長さは、遊技球検出センサ９１の厚さよりもやや短くなっている。また、裏面１０１ａに対するリブ１０５の傾斜面１０５ａの傾斜角度は、遊技球検出センサ９１の前記前端面９１ａに対する前記テーパ面９３の傾斜角度と等しくなっている。さらに、傾斜面１０５ａの面積は、テーパ面９３の面積よりも小さくなっている。このため、リブ１０５の傾斜面１０５ａ全体が、前側カバー部材１０１が装置本体５１に取り付けられた際に前記テーパ面９３に面接触するようになる。
（３）連動機構６１の構成
【００４０】
図２に示されるように、遊技盤１１の裏面には、各入賞口５６，５７，５８への遊技球Ａ１の入賞と、各入賞装置３６，３２，３３の羽根部材４４の開状態への変位とを連動させる連動機構６１が設けられている。連動機構６１は、遊技盤１１の裏面において前記入賞装置３１を囲むように設けられている。連動機構６１は、中央下入賞装置開放機構６２（図３（ａ），（ｂ）参照）、左中上入賞装置開放機構６３及び右中上入賞装置開放機構６４を備えている。中央下入賞装置開放機構６２は、中入賞口５６に遊技球Ａ１が入賞した場合に、中央下入賞装置３６の羽根部材４４を開状態に変位させる機構である。左中上入賞装置開放機構６３は、中入賞口５６または左入賞口５７に遊技球Ａ１が入賞した場合に、左中上入賞装置３２の羽根部材４４を開状態に変位させる機構である。右中上入賞装置開放機構６４は、中入賞口５６または右入賞口５８に遊技球Ａ１が入賞した場合に、右中上入賞装置３３の羽根部材４４を開状態に変位させる機構である。
（３−１）中央下入賞装置開放機構６２の構成
【００４１】
図３（ａ），（ｂ）に示されるように、中央下入賞装置開放機構６２は、中央下入賞装置３６内に設けられるとともに、ロック板６５を備えている。ロック板６５は、中央下入賞装置３６の横方向に延びる軸部６６を介して揺動可能に設けられている。また、ロック板６５は、同ロック板６５の前端から突出する一対のロック部６７を有している。両ロック部６７は、中央下入賞装置３６が有する一対の羽根部材４４の後部にそれぞれ係合することにより、両羽根部材４４を閉状態に維持するようになっている。
【００４２】
従って、中央下入賞装置３６の羽根部材４４が閉状態にある場合（図３（ａ）参照）に遊技球Ａ１が中入賞口５６を通過してロック板６５の後側部に衝突すると、遊技球Ａ１の自重によりロック板６５の後側部が押し下げられる（図３（ｂ）参照）。これに伴い、ロック板６５が回動して前側部が押し上げられ、ロック部６７による両羽根部材４４のロックが解除される。その結果、両羽根部材４４が開状態となる。なお、羽根部材４４が開状態である場合に遊技球Ａ１が中入賞口５６を通過したとしても、羽根部材４４は開状態のままである。しかし、中央下入賞装置３６に遊技球Ａ１が入賞すれば、中央下入賞装置３６の羽根部材４４は閉状態に変位する。しかも、この際に下部入賞装置４１の羽根部材４４が閉状態にあれば開状態に変位する。
（３−２）左中上入賞装置開放機構６３の構成
【００４３】
図４（ａ），（ｂ）に示されるように、左中上入賞装置開放機構６３は、左右方向に延びる第１アーム６８が回動軸６９を介して回動可能に設けられている。第１アーム６８における回動軸６９の一端側は、中入賞口５６及び左入賞口５７の下方まで延びており、中入賞口５６及び左入賞口５７の下方となる位置にそれぞれ球受部７０を有している。また、第１アーム６８における回動軸６９の他端側には、上下方向に延びる第２アーム７１が揺動可能に連結されている。さらに、第２アーム７１の先端側には、左右方向に延びる第３アーム７２が揺動可能に連結されている。第３アーム７２は、中央部分に設けられた回動軸７３を介して回動可能になっている。第３アーム７２の先端部は、左中上入賞装置３２が有する図示しないロック板（前記ロック板６５と同じ機構）に連結されたレバー７４を駆動するようになっている。
【００４４】
従って、左中上入賞装置３２の羽根部材４４が閉状態にある場合（図４（ａ）参照）に、遊技球Ａ１が中入賞口５６または左入賞口５７に入賞すると、入賞した遊技球Ａ１が球受部７０に衝突し、第１アーム６８における回動軸６９の一端側が遊技球Ａ１の自重で押し下げられる（図４（ｂ）参照）。これに伴い、第１アーム６８における回動軸６９の他端側が押し上げられ、第２アーム７１が上方に移動し、第３アーム７２における回動軸７３の基端側が押し上げられる。さらに、第３アーム７２における回動軸７３の先端側が押し下げられ、レバー７４を介して各羽根部材４４が開状態に切り替えられる。なお、羽根部材４４が開状態である場合に遊技球Ａ１が中入賞口５６または左入賞口５７を通過したとしても、羽根部材４４は開状態のままである。しかし、左中上入賞装置３２に遊技球Ａ１が入賞すれば、左中上入賞装置３２の羽根部材４４は閉状態に変位する。しかも、この際に左中下入賞装置３４の羽根部材４４が閉状態にあれば開状態に変位する。なお、右中上入賞装置開放機構６４の構成は、左中上入賞装置開放機構６３と同様の構成である（図２参照）ため、ここでの説明は省略する。
【００４５】
次に、実射試験の際に遊技球検出センサ９１を着脱させる手順について説明する。ところで、本実施形態の入賞装置３１では、各入賞口５６〜５９に遊技球検出センサは設けられていない。従って、実射試験を行う際には、入賞した遊技球Ａ１を検出するために、各入賞口５６〜５９に遊技球検出センサ９１を取り付ける必要がある。そこで、各入賞口５６〜５９に遊技球検出センサ９１を取り付ける工程を以下に説明する。
【００４６】
まず、入賞装置３１の装置本体５１から前側カバー部材１０１のネジ１０４を取り外した後、前側カバー部材１０１を取り外す。これにより、各検出センサ保持部８１の前側開口部８２が露出する。次に、各前側開口部８２に対して遊技球検出センサ９１を装置本体５１の前面側から縦向きに挿入し（図１１，図１２参照）、遊技球検出センサ９１の後端面９１ｃを検出センサ保持部８１の保持片８４に係合させる（図１０参照）。これにより、各検出センサ保持部８１に遊技球検出センサ９１がそれぞれ装着される。その後、装置本体５１の前面側に前側カバー部材１０１を配置し、この状態でネジ孔１０３にネジ１０４を挿入して装置本体５１に螺着させる。その結果、前側カバー部材１０１が装置本体５１に固定されるとともに、各遊技球検出センサ９１が同時に固定される（図５等参照）。
【００４７】
次に、遊技球検出センサ９１のコネクタ装着部にリード線の一端に設けられたコネクタを装着するとともに、リード線の他端を実射試験用の検査装置に接続する。これにより、検査装置は、遊技球検出センサ９１から出力された検出信号をピックアップすることが可能となる。具体的に言うと、遊技球検出センサ９１は、各入賞口５６〜５９に入賞して貫通孔９２を通過する遊技球Ａ１を検出する。このとき、遊技球検出センサ９１から検査装置に検出信号が出力され、検査装置は、検出信号に基づいて各入賞口５６〜５９の検査（各入賞口５６〜５９における遊技球Ａ１の入賞回数等の検査）を行う。
【００４８】
なお、実射試験の終了後は、検査装置による検出信号のピックアップを停止し、遊技球検出センサ９１のコネクタ装着部からリード線の一端に設けられたコネクタを取り外すとともに、リード線の他端を検査装置から取り外す。さらに、入賞装置３１の装置本体５１から前側カバー部材１０１のネジ１０４を取り外し、前側カバー部材１０１を取り外す。これにより、各検出センサ保持部８１の前側開口部８２が露出するため、各前側開口部８２から遊技球検出センサ９１を取り外すことができる。
【００４９】
従って、本実施形態によれば以下のような効果を得ることができる。
【００５０】
（１）ところで、本実施形態のパチンコ機においては、各入賞装置３２〜３６，４１〜４３の羽根部材４４を連動させる連動機構６１が入賞装置３１を囲むように設けられているために、遊技盤裏面側（即ち、装置本体５１の裏面側）における部品配置密度が非常に高く、遊技球検出センサ９１を取り付ける箇所は狭所となる。
【００５１】
しかし、本実施形態では、狭所となる装置本体５１の裏面側だけでなく、狭所とならない装置本体５１の前面側からも遊技球検出センサ９１を検出センサ保持部８１に着脱できるため、遊技球検出センサ９１を着脱する際の作業性が向上する。また、必要に応じて装置本体５１の前面側及び裏面側の両方から遊技球検出センサ９１を着脱できる。しかも、作業性が悪い装置本体５１の裏面側から遊技球検出センサ９１を無理矢理着脱しようとして検出センサ保持部８１を破損させずに済む。具体的には、保持片８４が折れることに起因した遊技球検出センサ９１のガタツキや脱落を防止できる。
【００５２】
なお、遊技店の希望に応じて、パチンコ機の製造時に入賞装置３１に取り付けることが考えられる。この場合、入賞装置３１に遊技球検出センサ９１を取り付けておいてから、入賞装置３１を遊技盤１１に取り付けるため、遊技球検出センサ９１の取付時に装置本体５１の裏面側は狭所とならない。ゆえに、装置本体５１の前面側及び裏面側のどちらからでも遊技球検出センサ９１を容易に着脱できる。
【００５３】
（２）また本実施形態では、複数の検出センサ保持部８１にそれぞれ遊技球検出センサ９１を装着してから前側カバー部材１０１を取り付けることにより、各遊技球検出センサ９１が同時に固定されるため、入賞装置３１に対して複数の遊技球検出センサ９１を効率良く着脱することができる。
【００５４】
（３）ところで、正規品とは形状が異なる遊技球検出センサを検出センサ保持部８１に装着したとしても、作業者は遊技球検出センサの誤組付に気付かない可能性がある。また、正規品である遊技球検出センサ９１を表裏逆に装着したとしても、作業者は誤組付に気付かない可能性がある。しかも、本実施形態の入賞装置３１には検出センサ保持部８１が複数あるため、誤組付のリスクは高くなっている。
【００５５】
そこで、本実施形態では、前側カバー部材１０１の裏面１０１ａにリブ１０５を設けている。これにより、正規品とは形状が異なる遊技球検出センサを装着した場合や、正規の遊技球検出センサ９１を表裏逆に装着した場合には、リブ１０５と遊技球検出センサ９１とが干渉するために前側カバー部材１０１を装置本体５１に取り付けることができない。よって、作業者は、遊技球検出センサ９１の誤組付に気付きやすくなる。
【００５６】
さらに、前側カバー部材１０１を装置本体５１に取り付けた際にリブ１０５が遊技球検出センサ９１のテーパ面９３に当接するため、遊技球検出センサ９１が検出センサ保持部８１だけでなくリブ１０５によっても保持される。これにより、遊技球検出センサ９１の固定強度が向上するとともに、遊技球検出センサ９１のガタツキが抑えられる。
【００５７】
（４）本実施形態のリブ１０５は、前側カバー部材１０１が装置本体５１に取り付けられた際に遊技球検出センサ９１のテーパ面９３に面接触し、しかも前側カバー部材１０１の上下方向に沿って延びているため、リブ１０５とテーパ面９３との接触面積を確実に確保できる。従って、遊技球検出センサ９１の固定強度がよりいっそう向上するとともに、遊技球検出センサ９１のガタツキをより確実に抑えることができる。
【００５８】
（５）本実施形態の遊技球誘導片１０２は、前側カバー部材１０１の左右方向に沿って延びているため、遊技球誘導片１０２と遊技球検出センサ９１の上面９１ｂとの接触面積を確実に確保できる。従って、遊技球検出センサ９１の固定強度がよりいっそう向上するとともに、遊技球検出センサ９１のガタツキをより確実に抑えることができる。
【００５９】
（６）本実施形態の前側カバー部材１０１では、遊技球誘導片１０２、リブ１０５、係合突部１０６といった突起物が全て裏面１０１ａに設けられている。これにより、突起物がある面か否かを確認することで、前側カバー部材１０１の表裏を確認できる。ゆえに、遊技球検出センサ９１の誤組付が生じたにもかかわらず、前側カバー部材１０１を表裏逆に取り付けたために誤組付に気付かない、といった問題を解消できる。
【００６０】
（７）本実施形態では、前側カバー部材１０１に遊技球誘導片１０２、リブ１０５及び係合突部１０６が設けられているため、前側カバー部材１０１の強度が向上する。
【００６１】
なお、本発明の実施形態は以下のように変更してもよい。
【００６２】
・上記実施形態では、前側カバー部材１０１に、遊技球誘導片１０２、リブ１０５及び係合突部１０６がそれぞれ５個ずつ設けられていた。しかし、遊技球誘導片１０２、リブ１０５及び係合突部１０６の数を変更してもよい。
【００６３】
・上記実施形態の遊技球検出センサ９１は、実射試験の際に入賞装置３１に取り付けられていたが、遊技店の希望に応じて、パチンコ機の製造時に入賞装置３１に取り付けるようにしてもよい。この場合、遊技球検出センサ９１に作動不良が生じたとしても、入賞装置３１の前面側から遊技球検出センサ９１を取り外して交換することができる。
【００６４】
・上記実施形態の遊技機はいわゆる普通機であったが、遊技球Ａ１が遊技領域１２を流下する遊技機であれば、他の遊技機であってもよい。例えば、上記実施形態の遊技機はいわゆる「羽根モノ」と称される遊技機であってもよい。この場合、入賞装置の上部には賞球払出用の遊技球検出センサが設けられ、入賞装置の下部にある特別入賞口（いわゆる「Ｖゾーン」）内には、特定遊技状態（羽根部材が複数回開閉する遊技状態など）を付与させるための遊技球検出センサが設けられている。一方、特別入賞口の側部にある一般入賞口内には、遊技球検出センサが設けられていない。従って、遊技機が羽根モノである場合は、実射試験を行う際に一般入賞口内に遊技球検出センサを取り付けて、特別入賞口及び一般入賞口への遊技球Ａ１の入賞率を検査する必要がある。
【００６５】
次に、特許請求の範囲に記載された技術的思想のほかに、前述した実施形態によって把握される技術的思想を以下に列挙する。
【００６６】
（１）請求項３において、前記検出手段保持部は、同検出手段保持部に保持された前記検出手段の上面に当接することにより前記検出手段の上方への移動を防止する移動防止爪を備え、前記前側カバー部材を前記装置本体に取り付けた際に、前記遊技球誘導片と前記移動防止爪とが直交した状態に配置されることを特徴とする遊技機。
【００６７】
（２）技術的思想（１）において、前記遊技球誘導片の下端面は、前記移動防止爪の下端面よりも上方に位置することを特徴とする遊技機。
【００６８】
（３）請求項３において、前記遊技球誘導片は、断面三角形状をなし、前記前側カバー部材の左右方向に沿って延びていることを特徴とする遊技機。
【００６９】
（４）請求項２において、前記誤組付防止用突部は、前記前側カバー部材が前記装置本体に取り付けられた際に前記テーパ面に面接触することを特徴とする遊技機。
【００７０】
（５）請求項２において、前記誤組付防止用突部は、断面三角形状をなし、前記前側カバー部材の上下方向に沿って延びるリブであることを特徴とする遊技機。
【００７１】
（６）請求項１乃至３のいずれか１項において、前記検出手段は、同検出手段の表裏面を貫通する貫通孔が前記検出手段の前端側に配置された遊技球検出センサであることを特徴とする遊技機。
【００７２】
（７）請求項１乃至３のいずれか１項において、前記検出手段は、前記遊技機が所定の運用基準を満たしているか否かを検査する型式試験に用いられることを特徴とする遊技機。
【００７３】
（８）請求項１乃至３のいずれか１項において、前記遊技機は、前記遊技領域の中央部に設けられた前記入賞装置と、遊技球の入賞が容易な開状態及び遊技球の入賞が困難な閉状態に変位可能な開閉部材を有する複数の普通入賞装置と、前記遊技盤の裏面において前記入賞装置を囲むように設けられ、前記複数の入賞口のいずれか１つへの遊技球の入賞、及び、前記複数の普通入賞装置のうち少なくとも１つの普通入賞装置の前記開閉部材の変位を連動させる連動機構とを備え、前記複数の入賞口のいずれか１つに遊技球が入賞した際に、前記連動機構によって前記複数の普通入賞装置のうち少なくとも１つの前記普通入賞装置の前記開閉部材を開状態に変位させるとともに、前記複数の普通入賞装置のいずれか１つに遊技球が入賞した際に、遊技球が入賞した普通入賞装置の前記開閉部材を閉状態に変位させるのに伴い、他の普通入賞装置のうち少なくとも１つの普通入賞装置の前記開閉部材を開状態に変位させる普通機であることを特徴とする遊技機。
【図面の簡単な説明】
【００７４】
【図１】本実施形態における遊技盤を示す正面図。
【図２】遊技盤を示す裏面図。
【図３】（ａ），（ｂ）は、中央下入賞装置開放機構を示す説明図。
【図４】（ａ），（ｂ）は、左中上入賞装置開放機構及び入賞装置を示す説明図。
【図５】（ａ）は入賞装置の正面図、（ｂ）は図５（ａ）のＡ−Ａ線断面図。
【図６】（ａ）は入賞装置の要部正面図、（ｂ）は図６（ａ）のＢ−Ｂ線断面図、（ｃ）は図６（ａ）のＣ−Ｃ線断面図。
【図７】入賞装置の第１入賞空間の構成を示す斜視図。
【図８】入賞装置の第２入賞空間の構成を示す斜視図。
【図９】（ａ）は入賞装置の要部正面図、（ｂ）は図９（ａ）のＤ−Ｄ線断面図、（ｃ）は図９（ａ）のＥ−Ｅ線断面図、（ｄ）は図９（ａ）のＦ−Ｆ線断面図。
【図１０】入賞装置の裏面側を示す斜視図。
【図１１】入賞装置及び前側カバー部材などを示す斜視図。
【図１２】図１１の要部を示す拡大図。
【図１３】遊技球検出センサと前側カバー部材との関係を示す説明図。
【図１４】前側カバー部材の裏面図。
【符号の説明】
【００７５】
１２…遊技領域
３１…入賞装置
５１…装置本体
５４…入賞空間としての第１入賞空間
５５…入賞空間としての第２入賞空間
５６…入賞口としての中入賞口
５７…入賞口としての左入賞口
５８…入賞口としての右入賞口
５９…入賞口としてのハズレ入賞口
６０…振分手段としての回転スロープ
８１…検出手段保持部としての検出センサ保持部
８２…前側開口部
８３…裏側開口部
９１…検出手段としての遊技球検出センサ
９１ａ…検出手段の前端面
９１ｂ…検出手段の前端部の上面
９３…テーパ面
１０１…前側カバー部材
１０１ａ…前側カバー部材の裏面
１０２…遊技球誘導片
１０５…誤組付防止用突部としてのリブ
Ａ１…遊技球
【図１】
2007260134.tif 000003
【図２】
2007260134.tif 000004
【図３】
2007260134.tif 000005
【図４】
2007260134.tif 000006
【図５】
2007260134.tif 000007
【図６】
2007260134.tif 000008
【図７】
2007260134.tif 000009
【図８】
2007260134.tif 000010
【図９】
2007260134.tif 000011
【図１０】
2007260134.tif 000012
【図１１】
2007260134.tif 000013
【図１２】
2007260134.tif 000014
【図１３】
2007260134.tif 000015
【図１４】
2007260134.tif 000016